(57)【要約】【課題】  芳香剤の放散量を任意に調整し得る芳香剤容器において、高さ寸法や幅寸法に制限のある箇所でも使用可能であり、機械的強度に優れ、且つ使用中に蓋体が容体から外れてしまう可能性の低い芳香剤容器を創出することを課題とする。【解決手段】  側壁（２Ａ）に複数の通気孔（２ｂ）が周設された容器本体（２）と、この容器本体（２）の側壁（２Ａ）に対して摺動自在に設けられた摺動内筒（４）と、この摺動内筒（４）の外面に対して摺動自在に設けられた摺動外筒（５）と、を有する構成とする。【選択図】  図２
2017148441.tif 000002
【特許請求の範囲】
【請求項１】
側壁（２Ａ）に複数の通気孔（２ｂ）が周設された容器本体（２）と、該容器本体（２）の側壁（２Ａ）に対して摺動自在に設けられた摺動内筒（４）と、該摺動内筒（４）の外面に対して摺動自在に設けられた摺動外筒（５）と、を有することを特徴とする芳香剤容器。
【請求項２】
外縁に突設されたフランジ（３ａ）を有する蓋体（３Ａ，３Ｂ）が、容器本体（２）の両端に夫々組み付けられている請求項１記載の芳香剤容器。
【請求項３】
摺動外筒（５）の端部に、側壁（２Ａ）上を摺動すると共に一方の蓋体（３Ｂ）のフランジ（３ａ）に当接可能な断面Ｌ字状の凸部（５ａ）が設けられている請求項２記載の芳香剤容器。
【請求項４】
摺動内筒（４）の端部に、他方の蓋体（３Ａ）のフランジ（３ａ）に当接可能な凸部（４ａ）が設けられている請求項２又は３記載の芳香剤容器。
【請求項５】
容器本体（２）の内側に仕切り板（２ａ）を設け、内部が２部屋に区画されている請求項１乃至４のいずれか一項に記載の芳香剤容器。
【請求項６】
摺動内筒（４）及び摺動外筒（５）の長さ寸法が、容器本体（２）の全長の略半分の長さ寸法で形成されている請求項１乃至５のいずれか一項に記載の芳香剤容器。
【発明の詳細な説明】
【技術分野】
【０００１】
本発明は、芳香剤の放散量を調整可能とする芳香剤容器に関する。
【背景技術】
【０００２】
特許文献１に記載された芳香剤用容器は、内筒３と外筒２とを有して二重壁構造円筒体から成る容体１の上下両端に、摺動筒１０に多数の通気孔１１が形成された蓋体８が摺動自在に夫々組み付けられている。
蓋体８の一方又は両方を適当に摺動させて通気孔１１を開放することにより、内筒３内に収容されている芳香剤Ｈを放散することが可能となっている。
【先行技術文献】
【特許文献】
【０００３】
【特許文献１】実公昭５７−３３８７３号公報
【発明の概要】
【発明が解決しようとする課題】
【０００４】
しかし、特許文献１に記載の発明は、蓋体８を閉じた不使用状態では芳香剤用容器全体の高さ寸法が最も低く、蓋体８を開放した使用状態では、蓋体８の摺動移動量に比例して芳香剤用容器全体の高さ寸法が高く成る構成であり、芳香剤用容器全体の高さ寸法が蓋体８を閉じた不使用状態と開放した使用状態とで異なるため、例えば戸棚の中など高さ寸法や幅寸法に制限のある箇所では使用し難くなる虞がある。
【０００５】
また蓋体８を全開させた状態では、容体１と蓋体８との係合が、外筒２の内周面上下端に周設された係止突条５と摺動筒１０の外周面下端に周設された係止突段１２とが係止し合うことのみによって行われる構成であり、蓋体８を閉じた状態に比較して機械的強度が脆弱となりやすいという懸念がある。
【０００６】
さらには使用中に蓋体８を強く引くと、係止突条５と係止突段１２との係止が解除され、蓋体８が容体２から外れてしまう可能性もある。
【０００７】
本発明は、上記した従来技術における問題点を解消すべく、芳香剤の放散量を任意に調整し得る芳香剤容器において、高さ寸法や幅寸法に制限のある箇所でも使用可能であり、機械的強度に優れ、且つ使用中に蓋体が容体から外れてしまう可能性の低い芳香剤容器を創出することを課題とする。
【課題を解決するための手段】
【０００８】
上記課題を解決するための手段のうち、本発明の主たる手段は、
側壁に複数の通気孔が周設された容器本体と、容器本体の側壁に対して摺動自在に設けられた摺動内筒と、摺動内筒の外面に対して摺動自在に設けられた摺動外筒と、を有することを特徴とする、と云うものである。
【０００９】
上記手段では、摺動内筒と摺動外筒とをいわゆる両開き式の扉状に構成し、その一方又は双方を摺動させて開閉することにより、容器本体側に設けた複数の通気孔の開放面積を自由に設定することを達成し得る。
【００１０】
また本発明の他の手段は、上記主たる手段に、外縁に突設されたフランジを有する蓋体が、容器本体の両端に夫々組み付けられている、と云うものである。
【００１１】
また本発明の他の手段は、上記手段に、摺動外筒の端部に、側壁上を摺動すると共に一方の蓋体のフランジに当接可能な断面Ｌ字状の凸部が設けられている、と云うものである。
【００１２】
また本発明の他の手段は、上記手段に、摺動内筒の端部に、他方の蓋体のフランジに当接可能な凸部が設けられている、と云うものである。
【００１３】
また本発明の他の手段は、上記いずれかの手段に、容器本体の内側に仕切り板を設け、内部が２部屋に区画されている、と云うものである。
【００１４】
また本発明の他の手段は、上記いずれかの手段に、摺動内筒及び摺動外筒の長さ寸法が、容器本体の全長の略半分の長さ寸法で形成されている、と云うものである。
【発明の効果】
【００１５】
本発明は、上記した構成となっているので、以下に示す効果を奏する。
本発明では扉状の摺動外筒と摺動内筒の一方又は双方を開閉させて容器本体側に通気孔を露出させることにより、芳香剤を放散させることができる。また摺動外筒及び摺動内筒の移動量を調整して通気孔の開放面積を変えることにより、放散量をコントロールすることができる。さらに各収容室に異なる香りの芳香剤を収容した状態では、摺動外筒と摺動内筒の開放面積の割合を変えることにより、ブレンドされる割合や全体の放散量を任意に設定するこことができ、使用者の好みに応じた香りを提供することができる。
【００１６】
また芳香剤容器は、例えば戸棚の中や車のダッシュボードの中など高さ寸法や幅寸法に制限のある箇所であっても使用することができる。また機械的強度も維持することができ、さらには開閉中に摺動内筒又は摺動外筒が容器本体から外れる可能性も低減できる。
【図面の簡単な説明】
【００１７】
【図１】本発明の実施例として収容室Ａ，Ｂ共に閉じた状態を示す芳香剤容器を示す斜視図である。
【図２】同じく収容室Ｂのみを開けた状態を示す斜視図である。
【図３】図１の半断面図である。
【図４】図２の半断面図である。
【図５】本発明の他の使用例として収容室Ａのみを開けた状態を示す芳香剤容器の半断面図である。
【図６】本発明のさらなる使用例として収容室Ａ，Ｂ共に開けた状態を示す芳香剤容器の半断面図である。
【発明を実施するための形態】
【００１８】
以下、本発明の実施の形態について図面を参照しつつ説明する。
図１及び図２は本発明の実施例としての芳香剤容器を示す斜視図であり、図１は収容室Ａ，Ｂ共に閉じた状態、図２は収容室Ｂのみを開けた状態を示している。
また図３は図１の半断面図、図４は図２の半断面図、図５は本発明の他の使用例として収容室Ａのみを開けた状態を示す芳香剤容器の半断面図、図６は本発明のさらなる使用例として収容室Ａ，Ｂ共に開けた状態を示す芳香剤容器の半断面図である。
【００１９】
まず芳香剤容器１の構成について説明する。
芳香剤容器１は、例えば固形状、ペレット状から成る芳香剤を収容した状態で放散する容器であり、母材とする容器本体２と、この容器本体２の側壁２Ａに沿って摺動自在に設けられると共にいわゆる両開き式の扉状に構成された摺動内筒４及び摺動外筒５を有して構成される。
【００２０】
本実施例における容器本体２は４つの側壁２Ａを有して角筒状に形成され、その両端には蓋体３Ａ，３Ｂが夫々組み付けられている。すなわち図３に示すように、蓋体３Ａ，３Ｂの外縁にはフランジ３ａが夫々周突設され、内面には内枠部３ｂが突設されている。この内枠部３ｂには係合凸部３ｃが形成されており、この係合凸部３ｃを容器本体２の端部に設けられた係合凹部２ｃに係合させることで蓋体３Ａ，３Ｂの容器本体２への組み付けが行われている。
【００２１】
容器本体２の内側の中央には仕切り板２ａが一体に形成されており、容器本体２の内部が収容室Ａ及び収容室Ｂの左右２部屋に区画されている。収容室Ａ内には第１の芳香剤が収容され、収容室Ｂ内には第１の芳香剤とは異なる香りを放散する第２の芳香剤が収容される。容器本体２の側壁２Ａには縦長状に開口する複数の通気孔２ｂが収容室Ａ及び収容室Ｂごとに周設されており、収容室Ａ及び収容室Ｂはこれら複数の通気孔２ｂを介して外部に連通している。なお、通気孔２ｂの数や形状については、用途に応じて適宜設定することができる
【００２２】
摺動内筒４は容器本体２よりも一回り大きな角筒状の部材として形成されており、容器本体２の側壁２Ａの外側に外挿されている。また摺動外筒５はさらに摺動内筒４よりも一回り大きな角筒状の部材として形成されており、摺動内筒４の外側に外挿されている。
摺動内筒４及び摺動外筒５の全長（摺動方向の長さ）は、いずれも容器本体２の全長の略半分の長さ寸法を有して形成されており、摺動内筒４及び摺動外筒５は、容器本体２両端の一方の蓋体３Ａと他方の蓋体３Ｂとの間を容器本体２の側壁２Ａ上に沿って開閉自在に設けられている。
【００２３】
摺動内筒４の一端（図３では蓋体３Ａ）側には断面Ｌ字状に形成されて外側に突出する凸部４ａが周設され、他端（図３では蓋体３Ｂ）側の表面には係止凸部４ｂが周設されている。また摺動外筒５の一端（図３では蓋体３Ａ）側の裏面には係止凸部５ｂが周設され、他端（図３では蓋体３Ｂ）側には断面Ｌ字状に形成されて内側に突出する凸部５ａが周設されている。
【００２４】
摺動外筒５の開閉時には、一端（蓋体３Ａ側）では係止凸部５ｂが摺動内筒４の表面上を、他端（蓋体３Ｂ側）では凸部５ａの下端が容器本体２の側壁２Ａ上を、それぞれ接しながら移動（摺動）するため、摺動外筒５は水平姿勢を維持した状態でスムーズに移動することが可能である。
なお、摺動内筒４又は摺動外筒５の初期設定時の開放位置が、例えば置き場所を少し変えただけで容易に変更されてしまうことのないように、横置きで使用するタイプの芳香剤容器１であっては、摺動内筒４と摺動外筒５との間に開閉操作に支障がない程度の摺動抵抗を設ける構成としてもよい。
【００２５】
次に芳香剤容器１の使用方法について説明する。
図１及び図３に示すように、摺動内筒４を一方の蓋体３Ａ側に移動させて凸部４ａをフランジ３ａに当接させると共に、摺動外筒５を他方の蓋体３Ｂ側に移動させて凸部５ａをフランジ３ａに当接させた状態とすることにより、容器本体２を完全に閉じた状態（収容室Ａ、Ｂ共に閉状態）とすることができる。これにより、収容室Ａ内の第１の芳香剤及び収容室Ｂ内の第２の芳香剤が共に外部に放散されない状態とすることができる。
【００２６】
図１及び図３に示す状態（収容室Ａ及び収容室Ｂが共に閉状態）から摺動外筒５のみを一方の蓋体３Ａ側に移動させて摺動内筒４の上に重なる状態にすると、図２及び図４に示すように収容室Ｂを開状態、収容室Ａを閉状態とすることができる、よって、収容室Ｂ内に収容されている第２の芳香剤を、収容室Ｂ側の容器本体２の周囲に形成されている複数の通気孔２ｂを介して外部に放散させることができる。またこの際、摺動外筒５の移動量を調整し、収容室Ｂ側の通気孔２ｂの開放面積を可変することにより、収容室Ｂ側における第２の芳香剤の放散量をコントロールすることができる。
【００２７】
同様に、図１及び図３の状態（収容室Ａ及び収容室Ｂが共に閉状態）の場合には摺動内筒４のみを、図２及び図４の状態（収容室Ａが閉状態及び収容室Ｂが開状態）の場合には摺動内筒４と摺動外筒５の双方を、他方の蓋体３Ｂ側に移動させて摺動外筒５の凸部５ａが蓋体３Ｂ側のフランジ３ａに当接させると、図５に示すように収容室Ａを開状態、収容室Ｂを閉状態とすることができ、収容室Ａ内に収容されている第１の芳香剤を収容室Ａ側の容器本体２の周囲に形成されている複数の通気孔２ｂを介して外部に放散させることができる。またこの際、摺動内筒４の移動量を調整し、収容室Ａ側の通気孔２ｂの開放面積を可変することにより、収容室Ａ側における第１の芳香剤の放散量をコントロールすることができる。
【００２８】
また図６に示すように、摺動内筒４と摺動外筒５とを容器本体２の中央の任意の位置まで移動させた状態とすることもできる。この状態では、収容室Ａ及び収容室Ｂ共に半開き状態に設定することができるため、収容室Ａ内に収容されている第１の芳香剤と収容室Ｂ内に収容されている第２の芳香剤とを同時に放散させることができる。すなわち、第１の芳香剤と第２の芳香剤とがブレンドされた香りを提供することができる。
【００２９】
また摺動内筒４及び摺動外筒５の移動量を調整し、収容室Ａの通気孔２ｂの開放面積と収容室Ｂの通気孔２ｂの開放面積の割合を可変することにより、第１の芳香剤と第２の芳香剤とがブレンドされる割合や全体の放散量を任意に設定することができ、使用者の好みに応じた香りを提供することが可能となる。
【００３０】
上記芳香剤容器１は、容器本体２の長さ寸法が一定のまま通気孔２ｂの開放面積のみを可変することが可能であるため、例えば戸棚の中や車のダッシュボードの中など高さ寸法や幅寸法に制限のある箇所であっても、容器本体２を入れて置くことが可能でれば使用することができる。
【００３１】
また上記芳香剤容器１では、母材を構成する容器本体２の側壁２Ａに沿って摺動内筒４及び摺動外筒５が開閉移動することにより通気孔２ｂの開放面積を調整する構成であり、使用状態によって容器本体２自体の構造が変わることはないので常に所期の機械的強度を維持することができる。
【００３２】
さらに容器本体２の側壁２Ａに沿って移動する摺動内筒４及び摺動外筒５は、両端に設けられた蓋体３Ａ，３Ｂの各フランジ３ａに当接することにより、その移動を規制することが可能であるため、開閉中に摺動内筒４又は摺動外筒５が容器本体２から外れる可能性も低減することができる。
【００３３】
以上、実施例に沿って本発明の構成とその作用効果について説明したが、本発明の実施の形態は上記実施例に限定されるものではない。
例えば、上記実施例では容器本体２として角筒状の場合を示して説明したが、本発明は上記実施例に限定されるものではなく、筒状であれば、例えば円筒状、楕円筒状、多角筒状などその他の筒形状であっても良い。
【００３４】
また上記実施例では、収容室Ａ及び収容室Ｂに異なる香りの芳香剤を収容した場合を示して説明したが、本発明は上記実施例に限定されるものではなく、収容室Ａ及び収容室Ｂに同じ香りの芳香剤を収容することもできる。
【００３５】
また上記実施例では、芳香剤容器１を横置きにした場合を示して説明したが、本発明は上記実施例に限定されるものではなく、芳香剤容器１を縦置きにした状態で使用することも可能である。縦置きの場合には、摺動内筒４の外面や摺動外筒５の内面に凹凸（リブや溝等）等のストッパー（簡単に乗り越えが可能な程度）構造を設けたり、摺動内筒４と摺動外筒５の摺動抵抗を強めに設定する構成を採用すると、摺動内筒４及び摺動外筒５の開閉状態を維持することができる点で好ましい。
【産業上の利用可能性】
【００３６】
本発明は、通気孔の開放面積を可変して放散量を調節可能な芳香剤容器の分野における用途展開をさらに広い領域で図ることができる。
【符号の説明】
【００３７】
１    ：  芳香剤容器
２    ：  容器本体
２Ａ  ：  側壁
２ａ  ：  仕切り板
２ｂ  ：  通気孔
２ｃ  ：  係合凹部
３Ａ    ：  蓋体
３Ｂ    ：  蓋体
３ａ  ：  フランジ
３ｂ  ：  内枠部
３ｃ  ：  係合凸部
４    ：  摺動内筒
４ａ  ：  凸部
４ｂ  ：  係止凸部
５    ：  摺動外筒
５ａ  ：  凸部
５ｂ  ：  係止凸部
Ａ  ：  収容室
Ｂ  ：  収容室
【図１】
2017148441.tif 000003
【図２】
2017148441.tif 000004
【図３】
2017148441.tif 000005
【図４】
2017148441.tif 000006
【図５】
2017148441.tif 000007
【図６】
2017148441.tif 000008